(57)【要約】【課題】管状体を壁に通す際に、管状体と壁との間の止水性を確保することができるとともに、管状体が突出部を有していても管状体に容易かつ短時間に取り付けることができる止水装置を提供する。【解決手段】突出部を有する管状体を壁に通す際に使用する止水装置において、弾性物質からなる止水装置本体１と、管状体に取り付けられる、弾性物質からなるモジュール２とから構成され、止水装置本体１は、モジュール２が収容されるモジュール収容部５ａ、５ｂが形成された封止体６ａ、６ｂと、封止体６ａ、６ｂをその両側から圧縮して封止体６ａ、６ｂを弾性変形させる圧力板７と、圧力板７に圧力を加えるボルト・ナットからなる締付手段８とから構成され、止水装置本体１およびモジュール２は、それぞれ２分割されている。【選択図】図１
2018035815.tif 000002
【特許請求の範囲】
【請求項１】
突出部を有する管状体を壁に通す際に使用する止水装置において、
弾性物質からなる止水装置本体と、前記管状体に取り付けられる、弾性物質からなるモジュールとから構成され、前記止水装置本体は、前記モジュールが収容されるモジュール収容部が形成された封止体と、前記封止体をその両側から圧縮して前記封止体を弾性変形させる圧力板と、前記圧力板に圧力を加えるボルト・ナットからなる締付手段とから構成され、前記止水装置本体および前記モジュールは、それぞれ複数個に分割されていることを特徴とする止水装置。
【請求項２】
前記止水装置本体および前記モジュールは、それぞれ２分割されていることを特徴とする、請求項１に記載の止水装置。
【請求項３】
前記止水装置本体および前記モジュールは、肉厚が最も薄い部分を境に分割されていることを特徴とする、請求項１または２に記載の止水装置。
【請求項４】
前記封止体には、パッキングが嵌め込まれる溝が形成されていることを特徴とする、請求項１から３の何れか１つに記載の止水装置。
【請求項５】
前記管状体は、前記突出部としての口金を有する消火ホースからなることを特徴とする、請求項１から４の何れか１つに記載の止水装置。
【発明の詳細な説明】
【技術分野】
【０００１】
この発明は、止水装置、特に、管状体を壁に通す際に、管状体と壁との間の止水性を確保することができるとともに、管状体が突出部を有していても管状体に容易かつ短時間に取り付けることができる止水装置にするものである。
【背景技術】
【０００２】
例えば、建屋の壁に、ケーブル、コンジットあるいはパイプ等が収容された管状体を通す際に、管状体と壁との間の止水性を確保するための止水装置の一例が特許文献１に開示されている。以下、この止水装置を従来止水装置といい、図面を参照しながら説明する。
【０００３】
図３は、従来止水装置本体と、従来止水装置本体が挿入されるスリーブとを示す斜視図、図４は、従来止水装置本体内に収容されるモジュールを示す斜視図である。
【０００４】
従来止水装置は、図３に示すような従来止水装置本体２１と、図４に示すようなモジュール２２とから構成されている。
【０００５】
従来止水装置本体２１は、弾性物質からなり、角柱状をなすモジュール２２が収容される断面矩形状のモジュール収容部２３が形成された円筒形状の封止体２４と、封止体２４をその両側から圧縮して封止体２４を弾性変形させる圧力板２５と、圧力板２５に圧力を加えるボルト・ナットからなる締付手段２６とから構成されている。
【０００６】
モジュール２２は、弾性物質からなり、モジュール２２ａとモジュール２２ｂとに２分割され、モジュール２２ａ、２２ｂには、管状体２７（図４参照）が収容される断面半円形状の管状体収容部２８ａ、２８ｂが形成されている。
【０００７】
上記従来止水装置を使用して管状体２７を壁に通すには、以下のようにする。
【０００８】
先ず、管状体２７をモジュール２２ａ、２２ｂの管状体収容部２８ａ、２８ｂに収容して、モジュール２２を管状体２７に取り付け、この後、モジュール２２を封止体２４のモジュール収容部２３に収容する。
【０００９】
次いで、モジュール２２を収容した従来止水装置本体２１の封止体２４を、壁を貫通して固定された円筒形状のスリーブ２９（図３参照）内に挿入する。
【００１０】
そして、締付手段２６により圧力板２５を介して封止体２４に圧力を加える。これによって、封止体２４の外側部分は、弾性変形して膨張する結果、封止体２４とスリーブ２９との間の隙間が塞がれる。一方、封止体２４の内側部分は、弾性変形して収縮する結果、モジュール収容部２３とモジュール２２との間の隙間およびモジュール２２と管状体２７との間の隙間が塞がれる。
【００１１】
このように、従来止水装置によれば、建屋の壁に、ケーブル、コンジットあるいはパイプ等が収容された管状体２７を通す際に、管状体２７と壁との間の止水性を確実に確保することができる。
【先行技術文献】
【特許文献】
【００１２】
【特許文献１】特表２００９−５１９７００号公報
【発明の概要】
【発明が解決しようとする課題】
【００１３】
上述したように、従来止水装置によれば、建屋の壁に、ケーブル、コンジットあるいはパイプ等が収容された管状体２７を通す際に、管状体２７と壁との間の止水性を確実に確保することはできるが、以下のような問題があった。
【００１４】
管状体２７が、例えば、消火ホースのように、ホースにホースの外径より大きい突出部を有している場合には、モジュール２２を取り付けたホースを封止体２５のモジュール収容部２３にそのままの状態では収容することができない。なお、消火ホースの突出部としては、ホースの先端に装着された放水用口金やホースの途中に取り付けられた接続用口金等がある（図２参照）。
【００１５】
この対策としては、口金を一旦、ホースから取り外し、ホースにモジュールを取り付けた後、モジュール２２をモジュール収容部２３に収容し、この後、給水口金をホースに取り付ければ良いが、これには時間と手間がかかり、緊急時には間に合わない。
【００１６】
また、経年劣化により止水装置を交換する場合には、口金を一旦、ホースから取り外し、ホースを止水装置から抜き取った後、新たな止水装置と交換することになるので、この場合も、時間と手間がかかる。
【００１７】
従って、この発明の目的は、管状体を壁に通す際に、管状体と壁との間の止水性を確保することができるとともに、管状体が突出部を有していても管状体に容易かつ短時間に取り付けることができる止水装置を提供することにある。
【課題を解決するための手段】
【００１８】
この発明は、上記目的を達成するためになされたものであって、下記を特徴とするものである。
【００１９】
請求項１に記載の発明は、突出部を有する管状体を壁に通す際に使用する止水装置において、弾性物質からなる止水装置本体と、前記管状体に取り付けられる、弾性物質からなるモジュールとから構成され、前記止水装置本体は、前記モジュールが収容されるモジュール収容部が形成された封止体と、前記封止体をその両側から圧縮して前記封止体を弾性変形させる圧力板と、前記圧力板に圧力を加えるボルト・ナットからなる締付手段とから構成され、前記止水装置本体および前記モジュールは、それぞれ複数個に分割されていることに特徴を有するものである。
【００２０】
請求項２記載の発明は、請求項１に記載の発明において、前記止水装置本体および前記モジュールは、それぞれ２分割されていることに特徴を有するものである。
【００２１】
請求項３記載の発明は、請求項１または２に記載の発明において、前記止水装置本体および前記モジュールは、肉厚が最も薄い部分を境に分割されていることに特徴を有するものである。
【００２２】
請求項４記載の発明は、請求項１から３の何れか１つに記載の発明において、前記封止体には、パッキングが嵌め込まれる溝が形成されていることに特徴を有するものである。
【００２３】
請求項５記載の発明は、請求項１から４の何れか１つに記載の発明において、前記管状体は、前記突出部としての口金を有する消火ホースからなることに特徴を有するものである。
【発明の効果】
【００２４】
この発明によれば、止水装置本体を分割することによって、管状体が突出部を有していても突出部を管状体から取り外すことなく、管状体に容易かつ短時間に取り付けることができる。
【００２５】
また、この発明によれば、止水装置本体を、肉厚が最も薄い部分を境に分割することによって、分割部分からの漏水の可能性をより低くすることができる。
【００２６】
また、この発明によれば、封止体にパッキングを取り付けることによって、止水効果をより向上させることができる。
【図面の簡単な説明】
【００２７】
【図１】この発明の止水装置を示す分解斜視図である。
【図２】この発明の止水装置の取付状態を示す斜視図である。
【図３】従来止水装置本体と、従来止水装置本体が挿入されるスリーブとを示す斜視図である。
【図４】従来止水装置本体内に収容されるモジュールを示す斜視図である。
【発明を実施するための形態】
【００２８】
この発明の止水装置の一実施態様を、図面を参照しながら説明する。
【００２９】
図１は、この発明の止水装置を示す分解斜視図、図２は、この発明の止水装置の取付状態を示す斜視図である。
【００３０】
図１および図２おいて、１は、弾性物質からなる止水装置本体、２は、弾性物質からなるモジュールである。モジュール２は、角柱状をなし、肉厚が最も薄い部分を境にモジュール２ａとモジュール２ｂとに２分割され、モジュール２ａ、２ｂには、消火ホース等の突出部１１を有する管状体３（図２参照）が収容される断面半円形状の管状体収容部４ａ、４ｂが形成されている。モジュール２を、肉厚が最も薄い部分を境に分割することによって、分割部分からの漏水の可能性をより低くすることができる。
【００３１】
止水装置本体１は、肉厚が最も薄い部分を境に止水装置本体１ａと止水装置本体１ｂとに２分割されている。止水装置本体１は、モジュール２が収容されるモジュール収容部５ａ、５ｂが形成された封止体６ａ、６ｂと、封止体６ａ、６ｂをその両側から圧縮して封止体６ａ、６ｂを弾性変形させる複数枚の圧力板７と、圧力板７に圧力を加える複数本のボルト・ナットからなる締付手段８とから構成されている。止水装置本体１を、肉厚が最も薄い部分を境に分割することによって、分割部分からの漏水の可能性をより低くすることができる。封止体６ａ、６ｂを合せた後の形状は、円筒形状をなし、モジュール収容部５ａ、５ｂを合せた後の形状は、断面矩形状をなす。
【００３２】
なお、封止体６ａ、６ｂの外周面に溝９（図１参照）を形成し、溝９内にパッキング１０（図２参照）を嵌め込むことによって、止水性がさらに向上する。この際、パッキング１０は、リング状ではなく、紐状とし、パッキング１０同士の接合部をラップさせるか、あるいは、図示のように、溝９を複数本（この例では２本）、形成し、各溝９内に嵌め込むパッキング１０の接合部の位置をずらせば、パッキング１０の接合部からの漏水を確実に阻止することができる。なお、液状パッキングを使用するか、これら両方のパッキングを併用してもよい。
【００３３】
上述した、この発明の止水装置を使用して、消火ホース等の管状体３を壁に通すには、以下のようにする。
【００３４】
先ず、突出部１１を有する管状体３を、壁を貫通して固定された円筒形状のスリーブ１２（図２参照）内に通す。
【００３５】
次いで、管状体３をモジュール２ａ、２ｂの管状体収容部４ａ、４ｂに収容して、モジュール２を管状体３に取り付け、この後、モジュール２を封止体６ａ、６ｂのモジュール収容部５ａ、５ｂに収容する。
【００３６】
次いで、モジュール２を収容した止水装置本体１の封止体６ａ、６ｂをスリーブ１２内に挿入する。
【００３７】
そして、締付手段８により圧力板７を介して封止体６ａ、６ｂに圧力を加える。これによって、封止体６ａ、６ｂの外側部分は、弾性変形して膨張する結果、封止体６ａ、６ｂとスリーブ１２との間の隙間が塞がれる。一方、封止体６ａ、６ｂの内側部分は、弾性変形して収縮する結果、モジュール収容部５ａ、５ｂとモジュール２との間の隙間およびモジュール２と管状体３との間の隙間が塞がれる。
【００３８】
このように、この発明の止水装置によれば、建屋の壁に管状体３を通す際に、管状体３が突出部１１を有する消火ホース等であっても、管状体３と壁との間の止水性を確実に確保することができるとともに、突出部１１を管状体３から取り外すことなく、管状体３に容易かつ短時間に取り付けることができる。
【００３９】
また、経年劣化により止水装置を交換する場合には、突出部１１を一旦、管状体３から取り外す必要がないので、止水装置の交換が容易かつ短時間に行える。
【００４０】
また、この発明によれば、止水装置本体１を、肉厚が最も薄い部分を境に分割することによって、分割部分からの漏水の可能性をより低くすることができる。
【００４１】
また、この発明によれば、止水装置本体１を、肉厚が最も薄い部分を境に分割することによって、その分割位置がモジュール２の分割位置とラップしないので、この点からも分割部分からの漏水の可能性をより低くすることができる。
【００４２】
また、この発明によれば、封止体６ａ、６ｂにパッキング１０を取り付けることによって、止水効果をより向上させることができる。
【符号の説明】
【００４３】
１、１ａ、１ｂ：止水装置本体
２、２ａ、２ｂ：モジュール
３：管状体
４ａ、４ｂ：管状体収容部
５ａ、５ｂ：モジュール収容部
６ａ、６ｂ：封止体
７：圧力板
８：締付手段
９：溝
１０：パッキング
１１：突出部
１２：スリーブ
２１：従来止水装置本体
２２、：２２ａ、２２ｂ：モジュール
２３：モジュール収容部
２４：封止体
２５：圧力板
２６：締付手段
２７：管状体
２８ａ、２８ｂ：管状体収容部
２９：スリーブ
【図１】
2018035815.tif 000003
【図２】
2018035815.tif 000004
【図３】
2018035815.tif 000005
【図４】
2018035815.tif 000006